(57)【要約】【課題】医療用途や介護用途等で患者の痰や唾液などの体液を吸引し除去するために広く利用されている体液吸引装置において、吸引チューブから吸引した体液が体液収集容器から吸引ポンプに流入することで吸引ポンプが故障してしまうのを未然に防止できるようにすること。【解決手段】本発明では、体液吸引装置（２）の吸引チューブ（６）に連通する吸引流路（１１）と吸引ポンプ（３）に連通する吸気流路（１１）との間に設けられる体液収集容器（１）において、吸引チューブ（６）から吸引された体液が許容量を超えた場合に体液が吸引ポンプ（３）に流入するのを阻止するための流入阻止手段（１３）を設けることにした。【選択図】図１
2014147436.tif 000002
【特許請求の範囲】
【請求項１】
体液吸引装置の吸引チューブと吸引ポンプとの間に設けられる体液収集容器において、
吸引チューブから吸引された体液が許容量を超えた場合に体液が吸引ポンプに流入するのを阻止するための流入阻止手段を設けたことを特徴とする体液収集容器。
【請求項２】
前記流入阻止手段は、吸引ポンプに連通する吸気流路の中途部に吸水膨張剤を収容し、吸水膨張剤が体液の吸収によって膨張することで吸気流路を閉塞することを特徴とする請求項１に記載の体液収集容器。
【請求項３】
前記流入阻止手段は、吸引ポンプに連通する吸気流路の中途部に可撓性を有する折曲部を形成するとともに、吸気流路の基端部にフロートを設け、吸引した体液によってフロートを浮上させることで吸気流路の折曲部を折曲して閉塞することを特徴とする請求項１に記載の体液収集容器。
【請求項４】
前記流入阻止手段は、吸引チューブと吸引ポンプとの間に体液の重量で下降可能な体液収集パックを設けるとともに、吸引チューブに連通する吸引流路又は吸引ポンプに連通する吸気流路に閉止弁を設け、体液収集パックが収集された体液の重量で下降することによって閉止弁を作用させて吸引流路又は吸気流路を閉塞することを特徴とする請求項１に記載の体液収集容器。
【請求項５】
前記流入阻止手段は、吸引チューブと吸引ポンプとの間に体液の容量で膨張可能な体液収集パックを設けるとともに、吸引ポンプに連通する吸気流路又は吸引チューブに連通する吸引流路に閉止フロートを設け、体液収集パックが収集された体液の容量で膨張することによって閉止フロートを作用させて吸気流路又は吸引流路を閉塞することを特徴とする請求項１に記載の体液収集容器。
【発明の詳細な説明】
【技術分野】
【０００１】
本発明は、体液吸引装置の吸引チューブと吸引ポンプとの間に設けられ、体液を収集するための体液収集容器に関するものである。
【背景技術】
【０００２】
従来より、医療用途や介護用途等において患者の痰や唾液などの体液を吸引除去するために体液吸引装置が広く利用されている。
【０００３】
この体液吸引装置は、吸引ポンプに吸引チューブを間に体液収集容器を介して接続した構成となっている（たとえば、特許文献１参照。）。
【０００４】
そして、体液吸引装置では、吸引チューブで体液を呼気とともに吸引し、吸引した体液を体液収集容器に収集し、収集した体液を使用者や介護者等が廃棄するようにしている。
【先行技術文献】
【特許文献】
【０００５】
【特許文献１】特開２００７−３０７１８５号公報
【発明の概要】
【発明が解決しようとする課題】
【０００６】
上記従来の体液吸引装置では、体液収集容器で収集できる体液の許容量が予め決められており、通常であれば、体液収集容器の許容量の範囲内で使用されるために特に問題はないが、誤って体液収集容器の許容量を超えて体液を吸引してしまうと、体液が体液収集容器からオーバーフローして吸引ポンプに流入し、吸引ポンプが故障するおそれがある。
【課題を解決するための手段】
【０００７】
そこで、請求項１に係る本発明では、体液吸引装置の吸引チューブに連通する吸引流路と吸引ポンプに連通する吸気流路との間に設けられる体液収集容器において、吸引チューブから吸引された体液が許容量を超えた場合に体液が吸引ポンプに流入するのを阻止するための流入阻止手段を設けることにした。
【０００８】
また、請求項２に係る本発明では、前記請求項１に係る本発明において、前記流入阻止手段は、吸気流路の中途部に吸水膨張剤を収容し、吸水膨張剤が体液の吸収によって膨張することで吸気流路を閉塞することにした。
【０００９】
また、請求項３に係る本発明では、前記請求項１に係る本発明において、前記流入阻止手段は、吸気流路の中途部に可撓性を有する折曲部を形成するとともに、吸気流路の基端部にフロートを設け、吸引した体液によってフロートを浮上させることで吸気流路の折曲部を折曲して閉塞することにした。
【００１０】
また、請求項４に係る本発明では、前記請求項１に係る本発明において、前記流入阻止手段は、吸引チューブと吸引ポンプとの間に体液の重量で下降可能な体液収集パックを設けるとともに、吸引チューブに連通する吸引流路又は吸引ポンプに連通する吸気流路に閉止弁を設け、体液収集パックが収集された体液の重量で下降することによって閉止弁を作用させて吸引流路又は吸気流路を閉塞することにした。
【００１１】
また、請求項５に係る本発明では、前記請求項１に係る本発明において、前記流入阻止手段は、吸引チューブと吸引ポンプとの間に体液の容量で膨張可能な体液収集パックを設けるとともに、吸引ポンプに連通する吸気流路又は吸引チューブに連通する吸引流路に閉止フロートを設け、体液収集パックが収集された体液の容量で膨張することによって閉止フロートを作用させて吸気流路又は吸引流路を閉塞することにした。
【００１２】
また、請求項４に係る本発明では、前記請求項２又は請求項３に係る本発明において、前記流入阻止手段は、吸気流路が閉塞される部分又はその下流側の内面に通気路を保持した状態で粘着剤を付着させることにした。
【発明の効果】
【００１３】
そして、本発明では、以下に記載する効果を奏する。
【００１４】
すなわち、本発明では、体液吸引装置の吸引チューブに連通する吸引流路と吸引ポンプに連通する吸気流路との間に設けられる体液収集容器において、吸引チューブから吸引された体液が許容量を超えた場合に体液が吸引ポンプに流入するのを阻止するための流入阻止手段を設けることにしているために、体液収集容器からオーバーフローした体液が吸引ポンプに流入して吸引ポンプが故障してしまうのを防止することができる。
【図面の簡単な説明】
【００１５】
【図１】体液吸引装置を示す説明図。
【図２】流入阻止手段を示す平面図（ａ）、側面断面図（ｂ）。
【図３】同部分拡大図。
【図４】他の流入阻止手段を示す側面断面図。
【図５】他の流入阻止手段を示す側面断面図。
【図６】他の流入阻止手段を示す側面断面図。
【発明を実施するための形態】
【００１６】
以下に、本発明に係る体液収集容器の具体的な構成について図面を参照しながら説明する。
【００１７】
図１に示すように、体液収集容器１は、患者の痰や唾液などの体液を吸引除去するための体液吸引装置２で使用される。体液吸引装置２は、吸引ポンプ３に吸引パイプ４の基端部を接続し、吸引パイプ４の中途部にフィルター５を介設するとともに、吸引パイプ４の先端部に体液収集容器１を接続し、体液収集容器１に吸引チューブ６の基端部を接続している。
【００１８】
また、体液収集容器１は、上部を開口させた中空状のタンク本体７の上部に蓋体８を着脱可能に螺着し、蓋体８に吸引パイプ４の先端部と吸引チューブ６の基端部をそれぞれ取付けている。
【００１９】
さらに、体液収集容器１は、タンク本体７及び蓋体８の内部に体液収集パック９を交換可能に収容している。
【００２０】
体液収集パック９は、図２及び図３(a)に示すように、中空状の体液収集部10の上部に上下垂直方向に向けて伸延させた管状の吸引流路11と上下垂直方向に蛇行させた管状の吸気流路12とを形成している。
【００２１】
吸引流路11は、タンク本体７の内部において吸引チューブ６の基端部と連通連結しており、上下垂直方向に向けて伸延させた管状に形成することで、吸引チューブ６から呼気とともに吸引した体液を体液収集部10に円滑に落下させるようにしている。
【００２２】
吸気流路12は、タンク本体７の内部において吸引パイプ４の先端部と連通連結している。この吸気流路12の中途部には、吸引した体液が体液収集部10からオーバーフローして吸引ポンプ３に流入するのを阻止するための流入阻止手段13が設けられている。
【００２３】
流入阻止手段13は、吸気流路12の中途部に上下に蛇行させた略Ｕ字状のトラップ14を形成し、そのトラップ14の底部に吸水膨張剤15を収容している。吸水膨張剤15は、水分を吸収することで体積が膨張する高分子ポリマー等からなる粒状やゼリー状などの公知の様々な吸水膨張剤を利用することができる。
【００２４】
ここで、流入阻止手段13は、トラップ14の内部に体液収集部10と吸引パイプ４とを連通させる連通路16を保持した状態で、トラップ14の底部に吸水膨張剤15を収容している。これにより、流入阻止手段13は、通常使用時には、吸水膨張剤15によって阻害されることなく吸引チューブ６から吸引した呼気を吸引ポンプ３で円滑に吸気する。一方、流入阻止手段13は、体液収集部10で収集できる許容量を超えて体液が吸引された時には、吸水膨張剤15が体液収集部10からオーバーフローした体液を吸収することで膨張して吸気流路12を閉塞する。
【００２５】
体液吸引装置２は、以上に説明したように構成しており、吸引ポンプ３を駆動することで吸引チューブ６から呼気とともに体液を吸引し、吸引した体液を体液収集容器２（体液収集パック９の体液収集部10）に収集する。
【００２６】
そして、体液収集容器１（体液収集パック９）に許容範囲内の体液が収集された場合には、使用後の体液収集パック９をタンク本体７から取外して廃棄し、使用前の体液収集パック９をタンク本体７に装着する。このように、体液収集パック９を交換するだけで体液の廃棄を容易に行うことができ、従来の体液収集容器から体液を廃棄するとともに体液収集容器を洗浄するといった作業を省くことができ、使用者や介護者の負担を軽減することができる。
【００２７】
また、体液収集パック９の体液収集部10に許容量を超えた体液が吸引されると、体液が体液収集部10から吸気流路12に流れ込み、トラップ14で捕捉される。体液がトラップ14で捕捉されると、トラップ14の底部に収容した吸水膨張剤15が体液を吸収して徐々に膨張し、吸気流路12のトラップ14を閉塞する。これにより、体液が吸引ポンプ３まで吸引されてしまうのを防止することができる。
【００２８】
以上に説明したように、上記体液収集容器１は、体液吸引装置２の吸引チューブ６に連通する吸引流路11と吸引ポンプ３に連通する吸気流路12との間に設けられ、吸引チューブ６から吸引された体液が許容量を超えた場合に体液が吸引ポンプ３に流入するのを阻止するための流入阻止手段13を設けた構成となっている。
【００２９】
そのため、上記構成の体液収集容器１では、体液収集容器１からオーバーフローした体液が吸引ポンプ３に流入して吸引ポンプ３が故障してしまうのを防止することができる。
【００３０】
特に、上記体液収集容器１では、吸気流路12の中途部に吸水膨張剤15を収容し、吸水膨張剤15が体液の吸収によって膨張することで吸気流路12を閉塞する構成とすることで、流入阻止手段13の構成を安価なものとすることができる。
【００３１】
また、上記体液収集容器１では、吸気流路12に略Ｕ字状のトラップ14を形成し、トラップ14に吸水膨張剤15を収容した構成とすることで、振動等によって吸水膨張剤15が上下流側に流出してしまうことがなく、トラップ14において体液によって吸水膨張剤15を膨張させることができ、吸水膨張剤15で吸気流路12を良好に閉塞させることができる。
【００３２】
本発明に係る流入阻止手段13は、上記構成に限られず、吸引流路11や吸気流路12の中途部などにおいて体液が吸引ポンプ３に流入するのを阻止することができる構成であればよい。
【００３３】
たとえば、図３(b)に示すように、流入阻止手段13は、吸水膨張剤15よりも下流側の吸気流路12に他の部分よりも軟質な可撓性を有する可撓部17を形成し、可撓部17の内面に粘着剤18を塗布した構成とすることもできる。
【００３４】
この流入阻止手段13は、吸気流路12の中央部に通気路19を保持した状態で、吸水膨張剤15によって吸気流路12が閉塞される部分よりも下流側の内面に粘着剤18を付着させている。これにより、流入阻止手段13は、通常使用時において、粘着剤17に阻害されることなく吸引チューブ６から吸引した呼気を吸引ポンプ３で円滑に吸気する。一方、体液収集部10で収集できる許容量を超えて体液が吸引された時には、体液の吸収によって膨張した吸水膨張剤15で吸気流路12が閉塞されるが、それに伴って吸気流路12の内部の負圧が増大し、吸気流路12が可撓部17で絞られ、内面の粘着剤18が接触する。これによって、吸気流路12を可撓部17において堅固に閉塞することができ、吸引ポンプ３への体液の流入をより一層良好に阻止することができる。
【００３５】
また、図３(b)に示す流入阻止手段13では、吸水膨張剤15よりも下流側の吸気流路12の内面に環状の突起20を形成して、膨張した吸水膨張剤15が吸引ポンプ３の吸引力で下流側に吸引されないようにしている。なお、吸水膨張剤15の吸引が防止できれば、突起20に限られず、多孔板や網などであってもよい。
【００３６】
また、本発明に係る流入阻止手段13は、体液収集パック９に設けた場合に限られず、体液収集容器１に設けられていればよい。
【００３７】
たとえば、図４に示すように、体液収集容器１は、蓋体８に上下垂直方向に向けて伸延させた吸引管21と吸気管22とを取付け、吸引管21の上端部に吸引チューブ６の基端部を取付け、吸気管22の上端部に吸引ポンプ３に連通する吸引パイプ４の先端部を取付けるとともに、吸気管22の下端部に吸気流路12の先端部を取付けている。
【００３８】
そして、流入阻止手段13は、吸気流路12の中途部に可撓性を有する折曲部23を形成するとともに、吸気流路12の基端部にフロート24を取付けている。
【００３９】
この流入阻止手段13では、体液が許容量超えて吸引されると、体液によってフロート24が浮上し、それに伴って、吸気流路12の折曲部23が折曲されて吸気流路12を閉塞する。なお、折曲部23の内面に粘着剤18を付着させておいてもよく、また、折曲部23に切欠を形成して折曲しやすくしておいてもよい。
【００４０】
このように、吸気流路12の中途部に可撓性を有する折曲部23を形成するとともに、吸気流路12の基端部にフロート24を設け、吸引した体液によってフロート24を浮上させることで吸気流路12の折曲部23を折曲して閉塞することにした場合も、流入阻止手段13の構成を安価なものとすることができる。
【００４１】
また、本発明に係る流入阻止手段13は、体液収集パック９に収容された体液の重量によって体液が吸引ポンプ３に流入するのを阻止する構成とすることもできる。
【００４２】
たとえば、図５に示すように、流入阻止手段13は、吸引チューブ６に体液収集パック９を閉止弁25を介して吊下げている。閉止弁25は、吸引チューブ６に接続した固定管26に体液収集パック９に接続した摺動管27を上下に摺動自在に取付け、図示しないバネ等で固定管26に対して摺動管27を上方に付勢している。閉止弁25には、固定管26から摺動管27を通過して体液収集パック９に連通する吸引流路11と、固定管26の外周と摺動管27の内周との間を通過して吸引パイプ４から吸引ポンプ３に連通する吸気流路12とが形成されている。
【００４３】
この流入阻止手段13では、体液収集パック９に所定重量の体液が収集される前は、図５(a)に示すように、閉止弁25を開弁した状態としているが、体液収集パック９に体液が収集されると、体液の重量で摺動管27が下降し、体液収集パック９に所定重量の体液が収集されると、図５(b)に示すように、閉止弁25が閉弁した状態となる。
【００４４】
このように、流入阻止手段13は、吸引チューブ６と吸引ポンプ３との間に体液の重量で下降可能な体液収集パック９を設けるとともに、吸引チューブ６に連通する吸引流路11（又は吸引ポンプ３に連通する吸気流路12）に閉止弁25を設け、体液収集パック９が収集された体液の重量で下降することによって閉止弁25を作用させて吸引流路11（又は吸気流路12）を閉塞するようにしている。
【００４５】
また、本発明に係る流入阻止手段13は、体液収集パック９に収容された体液の容量によって体液が吸引ポンプ３に流入するのを阻止する構成とすることもできる。
【００４６】
たとえば、図６に示すように、流入阻止手段13は、吸引チューブ６に体液収集パック９を接続具28を介して接続するとともに、吸引パイプ４に閉止フロート29を接続している。接続具28は、吸引チューブ６に接続した内管30と体液収集パック９に接続した外管31との間に間隙を設けて、吸引チューブ６から内管30及び外管31を通過して体液収集パック９に連通する吸引流路11と、内管30と外管31との間の間隙を通過して吸引パイプ４から吸引ポンプ３に連通する吸気流路12とが形成されている。また、閉止フロート29は、吸引パイプ４に固定した固定管32にフロート33を上下に摺動自在かつ開閉自在に取付けており、フロート33を体液収集パック９の上部と接触（近接）させている。
【００４７】
この流入阻止手段13では、体液収集パック９に所定容量の体液が収集される前は、図６(a)に示すように、閉止フロート29を開放した状態としているが、体液収集パック９に体液が収集されると、体液収集パック９が体液の容量で膨張してフロート33が上昇し、体液収集パック９に所定容量の体液が収集されると、図６(b)に示すように、閉止フロート29が閉塞した状態となる。
【００４８】
このように、流入阻止手段13は、吸引チューブ６と吸引ポンプ３との間に体液の容量で膨張可能な体液収集パック９を設けるとともに、吸引ポンプ３に連通する吸気流路12（又は吸引ポンプ３に連通する吸引流路11）に閉止フロート29を設け、体液収集パック９が収集された体液の容量で膨張することによって閉止フロート29を作用させて吸気流路12（又は吸引流路11）を閉塞するようにしている。
【符号の説明】
【００４９】
１  体液収集容器                ２  体液吸引装置
３  吸引ポンプ                  ４  吸引パイプ
５  フィルター                  ６  吸引チューブ
７  タンク本体                  ８  蓋体
９  体液収集パック              10  体液収集部
11  吸引流路                    12  吸気流路
13  流入阻止手段                14  トラップ
15  吸水膨張剤                  16  連通路
17  可撓部                      18  粘着剤
19  通気路                      20  突起
21  吸引管                      22  吸気管
23  折曲部                      24  フロート
25  閉止弁                      26  固定管
27  摺動管                      28  接続具
29  閉止フロート                30  内管
31  外管                        32  固定管
33  フロート
【図１】
2014147436.tif 000003
【図２】
2014147436.tif 000004
【図３】
2014147436.tif 000005
【図４】
2014147436.tif 000006
【図５】
2014147436.tif 000007
【図６】
2014147436.tif 000008